(57)【要約】【課題】極めて簡易に大球を用いた不正行為を確実に防止するとともに、不正行為の発見が容易な入賞通路構造を提供する。【解決手段】遊技機の遊技領域内に設けられる入賞部品の入賞孔と、当該入賞孔と連通する通路内に設けられ、入賞孔に取り込まれた遊技球を検出する入賞センサーと、入賞孔から正規の遊技球の直径分直上に離間した位置よりも下方から前記入賞センサーまでの範囲に設けられる入賞検出阻止手段とを備え、入賞検出阻止手段が正規の遊技球を通過させ、かつ、大球の通過を阻止する通過孔を有することを特徴とする入賞通路構造とした。【選択図】図１
2012045091.tif 000002
【特許請求の範囲】
【請求項１】
正規の遊技球よりも大径な大球の検出を防止する遊技機の入賞通路構造であって、
遊技機の遊技領域内に設けられる入賞部品の入賞孔と、
当該入賞孔と連通する通路内に設けられ、前記入賞孔に取り込まれた遊技球を検出する入賞センサーと、
前記入賞孔から前記正規の遊技球の直径分直上に離間した位置よりも下方から前記入賞センサーまでの範囲に設けられる入賞検出阻止手段とを備え、
前記入賞検出阻止手段が前記正規の遊技球を通過させ、かつ、前記大球の通過を阻止する通過孔を有することを特徴とする入賞通路構造。
【請求項２】
前記通過孔の直径が前記正規の遊技球の直径よりも大径、かつ、前記入賞センサーの検出孔の直径よりも小径であることを特徴とする請求項１記載の入賞通路構造。
【請求項３】
前記入賞検出阻止手段が遊技盤面よりも前側に設けられることを特徴とする請求項１または請求項２記載の入賞通路構造。
【請求項４】
前記入賞検出阻止手段が前記入賞孔から前記正規の遊技球の直径分下方に離間した位置よりも上方に設けられることを特徴とする請求項１乃至請求項３いずれかに記載の入賞通路構造。
【発明の詳細な説明】
【技術分野】
【０００１】
本発明は、遊技機の入賞通路の構造に関し、特に不正な遊技球を用いて不正な賞球を得ることを確実に防止可能な入賞通路構造に関する。
【背景技術】
【０００２】
従来、遊技機の一例としてのパチンコ遊技機（以下、パチンコ機という）においては、様々な方法により不正な賞球を得るいわゆるゴト行為が多発しており、パチンコ機を設置する遊技店や、遊技者に不測の損害を与えていることが知られている。
このようなゴト行為の一種として例えば特許文献１に開示されるように、遊技店によって貸し出される正規の遊技球（例えば１１ｍｍ）よりも小径な遊技球を自作し、小径な遊技球をパチンコ機の遊技領域内に打ち出すことにより、始動口や入賞口に取り込まれる頻度を高め、始動口や入賞口の内部に設けられる検出センサーに検出させることにより不正な利益を得る小球ゴトと呼ばれる行為が存在する。
また近年においては、小球ゴトよりも遥かに短時間で不正な利益を得ることが可能な大球ゴトと呼ばれる行為が横行している。この大球ゴトとは、小球ゴトとは逆に遊技店によって貸し出される正規の遊技球よりも大径な遊技球（以下、大球という）を自作し、始動口やその他の入賞口に取り込ませることにより、大球を内部に設けられた検出センサーの検出孔に引っ掛からせる。
そして、大球が検出センサーの検出孔に引っ掛かった状態で、外部から強力な電磁波を出力する器具を操作して検出センサーを誤作動させ、引っ掛かった状態の大球を検出センサーに繰り返し検出させることにより不正な利益を得るゴト行為である。
当該ゴト行為は、前者のゴト行為と比較して一度大球を検出センサーに引っ掛からせることができれば、遊技球を打ち出すことなく電磁波を出力する器具を操作するだけで短時間に大量の不正な賞球を得ることが可能となるため、遊技店、或いは一般遊技者に対して与える不利益が極めて甚大なものとなる。
また、このような大球の始動口や入賞口への進入を防ぐために、始動口や入賞口そのものの口径を小さくすることも考えられるが、口径の変更は入賞部品を成型する金型の再設計を伴うため、多大な費用と労力が掛かる。
さらに、既に市場に流通しているパチンコ機の入賞口や始動口を取り替えることは関係法令や規則により禁止されているため、入賞部品それ自体の付け替えは現実的な策とはいえないのが実情である。
【先行技術文献】
【特許文献】
【０００３】
【特許文献１】特開２００３−３４００７３号公報
【発明の概要】
【発明が解決しようとする課題】
【０００４】
そこで、本発明は上記課題を解決すべく極めて簡易に大球を用いた不正行為を確実に防止するとともに、不正行為の発見が容易な入賞通路構造を提供することを目的とする。
【課題を解決するための手段】
【０００５】
上記課題を解決するため、本発明の第一の構成として、遊技機の遊技領域内に設けられる入賞部品の入賞孔と、当該入賞孔と連通する通路内に設けられ、入賞孔に取り込まれた遊技球を検出する入賞センサーと、入賞孔から正規の遊技球の直径分直上に離間した位置よりも下方から入賞センサーまでの範囲に設けられる入賞検出阻止手段とを備え、入賞検出阻止手段が正規の遊技球を通過させ、かつ、大球の通過を阻止する通過孔を有することを特徴とする入賞通路構造とした。
本構成によれば、入賞孔から正規の遊技球の直径分直上に離間した位置よりも下方から入賞センサーまでの範囲に設けられる入賞検出阻止手段が正規の遊技球を通過させ、大球の通過を阻止する通過孔を有することから入賞センサーによって正規の遊技球を確実に検出させつつ、入賞センサーの検出孔に引っ掛かる直径を有する大球を入賞検出阻止手段の通過孔内で留置くことができ、大球が入賞センサーに引っ掛かることを確実に防止できる。よって、不正行為を確実に防止することが可能となる。
また、第二の構成として、通過孔の直径が正規の遊技球の直径よりも大径、かつ、入賞センサーの検出孔の直径よりも小径である構成とした。
本構成によれば、前記構成から生じる効果と同様の効果を得ることができる。
また、第三の構成として、入賞検出阻止手段が遊技盤面よりも前側に設けられる構成とした。
本構成によれば、前記構成から生じる効果に加えて、大球が通過孔内に留置かれた際に大球を遊技盤面よりも前側から視認可能となり、かつ、留置かれた大球を容易に取り除くことができる。
また、第四の構成として、入賞検出阻止手段が入賞孔から正規の遊技球の直径分下方に離間した位置よりも上方に設けられる構成とした。
本構成によれば、入賞阻止手段が、入賞孔から正規の遊技球の直径分下方に離間した位置よりも上方に設けられることにより、正規の遊技球よりも大径な大球が通過孔に留置かれた場合、大球の一部が入賞孔の上方に露出し、大球が遊技に使用された事実を遊技盤面の前側から容易に確認することができ、不正行為を直ちに発見することができる。
【０００６】
なお、本明細書において、「大球（大球Ｑという）」とは、正規の遊技球よりも直径が大きい遊技球を意味し、「正規の遊技球（遊技球Ｐという）」とは、関係法令，規則によって定められた直径（例えば１１ｍｍ）を有する遊技球を意味する。
また、上記発明の概要は、本発明の必要な特徴の全てを列挙したものではなく、これらの特徴群のサブコンビネーションもまた、発明となり得る。
【図面の簡単な説明】
【０００７】
【図１】パチンコ機１０の概略正面図。
【図２】パチンコ機１０の概略背面図。
【図３】一般入賞部品２２；２３の斜視図及び縦断面図。
【図４】一般入賞部品２２；２３の縦断面図。
【図５】一般入賞部品２２；２３の縦断面図（他の形態）。
【図６】入賞検出阻止手段７０の斜視図，断面図及び平面図（他の形態）。
【図７】入賞検出阻止手段７０の平面図（他の形態）。
【図８】パチンコ機１０の概略ブロック図。
【発明を実施するための形態】
【０００８】
以下、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。
【０００９】
図１は、遊技機の一例としてのパチンコ機１０の全体正面図である。同図を用いてパチンコ機１０の概略について説明する。
パチンコ機１０は、遊技球Ｐが打ち出される遊技領域１１Ａを有し、内枠１２に対して着脱自在に取り付けられる遊技盤１１と、内枠１２を前後方向に開閉自在に軸支する外枠１３とを備える。遊技盤１１の前方には、内枠１２の前後方向に開閉自在に軸支される窓１２Ａが設けられ、遊技盤１１の前方が閉鎖される。
また、パチンコ機１０の下方には発射ハンドル１４が回動自在に取着され、発射ハンドル１４が遊技者の操作によって回動操作されることにより、打ち出し機構１５が駆動する。打ち出し機構１５が駆動すると、上皿構造体１６内に貯留された遊技球Ｐが上方に打ち出され、外ガイドレール２８と内ガイドレール１７とで囲繞された遊技領域１１Ａ内に進入する。遊技盤１１の遊技領域１１Ａ内に進入した遊技球Ｐは、遊技領域１１Ａを流下する過程において、遊技領域１１Ａ内に植設された多数の遊技釘に衝突しながら誘導され、遊技盤１１の略中央に設けられた始動入賞部品２０、始動入賞部品２０の上方に設けられた一般入賞部品２１、或いは遊技盤の左右方向に離間して配設された複数の一般入賞部品２２乃至２５に取り込まれる。また、いわゆる大当り遊技が開始された場合、遊技盤１１の遊技領域１１Ａ内に進入した一部の遊技球Ｐは、遊技領域１１Ａを流下する過程において、大入賞部品２６に取り込まれる。遊技領域１１Ａを流下する過程においていずれの入賞部品にも取り込まれなかった遊技球は、最下方に開設されたアウト口１９によって回収される。
【００１０】
図２は、遊技盤１１の概略背面図である。
同図において遊技盤１１の背面には、例えばアクリル製の板体によって形成される流路ユニット３０；３１が配設される。
流路ユニット３０；３１は、遊技盤１１の相対峙して前後方向に立ち上がる一対の内部壁３２：３２と内部壁３２；３２同士を接続する背壁３３とからなる複数の誘導通路を有し、上記各入賞部品に取り込まれた遊技球を下方に設けられた図外の球排出桶まで誘導する。
同図において流路ユニット３０は、図１に示す一般入賞部品２２；２３から取り込まれた遊技球を誘導する誘導通路３０Ｌを有し、一般入賞部品２２または一般入賞部品２３から取り込まれた遊技球Ｐは、誘導通路３０Ｌ内に設けられた検出センサー４０によって検出される。
図３（ｂ）に示すように検出センサー４０は、遊技球Ｐが通過可能な検出孔４０Ａを有する近接スイッチであって、遊技球Ｐが当該検出孔４０Ａを通過することにより、図外の主制御装置１００に対して検出信号を出力する。
また、流路ユニット３０は、始動入賞部品２０及び大入賞部品２６から取り込まれた遊技球を誘導する誘導通路３０Ｒを有し、始動入賞部品２０または大入賞部品２６から取り込まれた遊技球は、誘導通路３０Ｒ内において個別に設けられた検出センサー４０によって検出される。
つまり、一般入賞部品２２；２３に取り込まれて誘導通路３０Ｌによって誘導される遊技球Ｐは、検出センサー４０によって一括して検出され、始動入賞部品２０または大入賞部品２６に取り込まれて誘導通路３０Ｒによって誘導される遊技球Ｐは、検出センサー４０によって個別に検出される。
【００１１】
流路ユニット３１は、図１に示す一般入賞部品２１；２４；２５から取り込まれた遊技球Ｐを誘導する誘導通路３１Ｌを有し、一般入賞部品２１；２４；２５のいずれかに取り込まれた遊技球Ｐは、誘導通路３１Ｌ内に設けられた検出センサー４０によって一括して検出される。
【００１２】
以下、一般入賞部品２２；２３を例として当該一般入賞部品２２；２３の構成及び前記誘導通路３０Ｌとの関係について詳説する。
図３（ａ）は、遊技領域１１Ａ内に設けられた一般入賞部品２２；２３の分解斜視図である。本例における一般入賞部品２２；２３は、遊技盤１１の前面に配設されたベースプレート５０と、ベースプレート５０の前方に取り付けられる遊技球取り込み部５５と、ベースプレート５０と遊技球取り込み部５５との間に介挿される入賞検出阻止手段７０とにより構成される。
ベースプレート５０は、前後方向に貫通する楕円形の複数の貫通孔５１；５１とピン挿通孔５２；５２を有する。ピン挿通孔５２；５２は、遊技盤１１に対する位置決め孔であって、遊技盤１１から前方に突出するピン５３；５３をピン挿通孔５２；５２に挿通することにより、ベースプレート５０が位置決めされる。また、ベースプレート５０は、ピン５３；５３により位置決めされた状態で、図外の止めネジ等の固定手段により遊技盤１１の前面に固着される。貫通孔５１；５１は、ベースプレート５０が位置決めされた状態において、遊技盤１１に穿設された貫通孔１８；１８と一致する孔であって、その直径は、遊技球Ｐの直径よりも大径である。
また、貫通孔５１；５１の下半部には、後方に延在する半割り状の樋片５４が設けられ、当該樋片５４が貫通孔１８；１８内に挿通される（図３（ｂ）参照）。樋片５４は、遊技盤１１の厚さ、即ち、貫通孔１８；１８の深さと略同一長さ延長し、前方の遊技球取り込み部５５から取り込まれた遊技球Ｐを遊技盤１１の背面に設けられた誘導通路３０Ｌまで誘導する。
【００１３】
遊技球取り込み部５５は、上方及び後方開口の箱型であって、ベースプレート５０のピン挿通孔５２；５２を経由して突出するピン５３；５３によりベースプレート５０の前面に係止される。遊技球取り込み部５５は、下方に向かって弓形状に窪む躯体部５６と躯体部５６の前方を閉塞する前面部５７とからなる上方及び後方開口の部材である。
遊技球取り込み部５５の上部には、躯体部５６及び前面部５７の上端縁５６Ａ；５７Ａによって正方形或いは矩形の入賞孔６０が形成される。
【００１４】
入賞孔６０は、上方から流下する遊技球Ｐが通過可能な孔であって、例えば開口を形成する左右方向の辺が遊技球Ｐの直径よりも長い１２・５ｍｍ程度に設定される。
また、遊技球取り込み部５５の後方には、躯体部５６の後端縁５６Ｂによって、下方に向かって弓形状に窪む導出孔６１が形成される。導出孔６１は、入賞孔６０を経由して遊技球取り込み部５５内部に取り込まれた遊技球Ｐが通過可能な孔であって、遊技球Ｐを後方の樋片５４に対して導出する（図３（ｂ）参照）。
よって、遊技球取り込み部５５が、ベースプレート５０に対して取り付けられた状態において、遊技球Ｐは、遊技盤１１の遊技領域１１Ａ内に位置する入賞孔６０から取り込まれ、導出孔６１、ベースプレート５０の樋片５４を経由して遊技盤１１の背面に設けられた誘導通路３０Ｌ内に誘導され、誘導通路３０Ｌ内に設けられた検出センサー４０によって検出される。
つまり、遊技盤１１には、遊技領域１１Ａ内に設けられる遊技球取り込み部５５の入賞孔６０を始点とし、遊技盤１１の裏側に形成される誘導通路３０Ｌの検出センサー４０を終点とする通路構造が形成される。そして、遊技盤１１の背面に形成される誘導通路３０Ｌは、遊技領域１１Ａ内に設けられる入賞孔６０と連通する通路である。
【００１５】
入賞検出阻止手段７０は、例えば銅やアルミニウム、プラスティック等の磁石に反応し難い材質からなる板状部材であって、遊技球取り込み部５５における入賞孔６０よりも下方に配設される。入賞検出阻止手段７０は、入賞孔６０よりも下方に形成されたスライド溝７２に介挿されることにより入賞孔６０に対して平行に設けられる。
より具体的には、図３（ｂ）に示すように、入賞検出阻止手段７０の位置は、入賞孔６０から遊技球Ｐの直径Ｎ分離間した位置Ｖよりも上方の範囲内に配設される。
また、入賞検出阻止手段７０は、中央部に遊技球Ｐが通過可能な通過孔７１を有する。通過孔７１は、上下方向に貫通する正円孔であって、遊技球Ｐの直径Ｎよりも大径、かつ、検出センサー４０の検出孔４０Ａの直径Ｍよりも小径な直径Ｌを有する。
よって、図３（ｂ）の二点鎖線で示すように、入賞孔６０から取り込まれた正規の遊技球Ｐは、通過孔７１を通過して遊技球取り込み部５５内部に取り込まれる。
【００１６】
一方、図４に示すように、遊技球Ｐの直径Ｎより大きい直径Ｏを有する大球Ｑが入賞孔６０に向かって流下した場合、大球Ｑは入賞孔６０の下方に配設された入賞検出阻止手段７０の通過孔７１（直径Ｌ）を通過することができず、その一部が入賞孔６０上に露出した状態で留置かれる。
ここで、例えば通過孔７１の直径Ｌは、前述のとおり遊技球Ｐの直径Ｎ（１１ｍｍ±１ｍｍ）よりも大径であり、検出センサー４０の検出孔４０Ａの直径Ｍ（例えば１２．５ｍｍ）よりも小径な、例えば１２ｍｍ〜１２．４ｍｍの範囲から任意に選択される。
つまり、大球Ｑを用いた不正行為は、大球Ｑを検出センサー４０の検出孔４０Ａに引っ掛からせることを前提として行われるものであるから、通過孔７１の直径Ｌを少なくとも検出孔４０Ａの直径Ｍよりも小径に設定すれば、誘導通路３０Ｌ内に設けられた検出孔４０Ａに引っ掛かり得る大球Ｑの進入を遊技盤１１の前側において確実に阻止し、通過孔７１内に留置くことが可能となる。
【００１７】
また、入賞検出阻止手段７０が遊技盤１１の前面よりも前側に位置する遊技球取り込み部５５内に配設されることにより、通過孔７１に留置かれた大球Ｑを遊技盤１１の前側から容易に取り除くことができる。
さらに、入賞検出阻止手段７０が、入賞孔６０から遊技球Ｐの直径Ｎ分離間した位置Ｖよりも上方に配設されることにより、遊技球Ｐよりも大径な大球Ｑが通過孔７１に留置かれた場合、大球Ｑの一部が入賞孔６０の上方に露出することとなるため、大球Ｑが遊技に使用された事実を遊技盤１１の前側から容易に確認することができる。
【００１８】
なお、通過孔７１の直径Ｌが、前記数値範囲に限定されるものでないことは明らかである。即ち、大球Ｑの直径Ｏは、不正な遊技者によって検出孔４０Ａの直径Ｍよりも大径となるように加工されるものであり、直径Ｏは検出孔４０Ａの直径Ｍの大きさに依存する。
よって、検出孔４０Ａの直径Ｍの大きさによって、通過孔７１の直径Ｌを変更する必要があるのは明らかであり、通過孔７１の直径Ｌは、前記数値範囲に限定されず、少なくとも検出孔４０Ａの直径Ｍよりも小径に設定される。
【００１９】
図５は、本発明に係る他の実施形態を示す図であって、入賞検出阻止手段７０が誘導通路３０Ｌ内に配設された点で、上記形態と異なる。入賞検出阻止手段７０は、誘導通路３０Ｌ内に形成された図外の係止部を介して配設されており、誘導通路３０Ｌ内まで進入した大球Ｑを検出センサー４０よりも上方で留置くことが可能である。
本実施形態にあっては、上記実施形態のように留置かれた大球Ｑの取り除き容易性、及び視認容易性を失することとなるが、誘導通路３０Ｌ内に設けられた検出センサー４０の検出孔４０Ａに引っ掛かり得る大球Ｑの進入を検出センサー４０の上流側において確実に阻止することが可能となる。
さらに、入賞孔６０の直径よりも小径な通過孔７１を有する入賞検出阻止手段７０を遊技盤１１よりも後方に配設する構成であるため、正規の遊技球Ｐが遊技球取り込み部５５内に取り込まれ難くなることを防止できる。
上記実施形態からも明らかなように、入賞検出阻止手段７０の配設箇所は、入賞孔６０と検出センサー４０の検出孔４０Ａとの間であれば、いずれの箇所であってもよく、遊技盤１１に穿設された貫通孔１８内に配設することも可能である。
さらに、下記の実施形態に示すように入賞検出阻止手段７０の配設箇所は、入賞孔６０よりも上方であってもよい。
【００２０】
図６（ａ），（ｂ）は、入賞検出阻止手段７０の他の形態を示す斜視図及び取り付け状態を示す断面図である。
同図において入賞検出阻止手段７０は、通過孔７１を有する板体の四隅に対して支持脚７３が設けられた点で上記実施形態と異なる。各支持脚７３は、上下方向に延在する軸体であって、その間隔及び長さは遊技球取り込み部５５の形状によって適宜設定される。本形態に係る入賞検出阻止手段７０によれば、入賞検出阻止手段７０を介挿するためのスライド溝７２を形成する必要がなくなり、支持脚７３を入賞孔６０の上方から差し込むことにより、通過孔７１を有する金属板を入賞孔６０よりも下方に位置決めするだけで大球Ｑの進入を確実に阻止することができる。よって、既に市場に流通しているパチンコ機に対しても入賞部品それ自体に対して改変を加えることなく適用することが可能となる。
さらに、図６（ｂ）に示すように、本実施形態に係る入賞検出阻止手段７０によれば、支持脚７３の差込量を調整することにより、通過孔７１を有する板体を入賞孔６０よりも上方に位置決めすることも可能である。
同図に示すように、入賞検出阻止手段７０を入賞孔６０よりも上方に位置決めした場合、正規の遊技球Ｐは通過孔７１を通過可能である一方、不正な大球Ｑの通過は阻止され、入賞孔６０よりも上方に位置する通過孔７１内に留置かれる。
また、上記取り付け形態における板体の位置は、入賞孔６０の直上であって、かつ、入賞孔６０から正規の遊技球Ｐの直径分離間した位置Ｋよりも下方の範囲とするのが望ましい。なぜならば、通過孔７１の位置をＫ或いはＫよりも上方の位置に設定すると、入賞孔６０と板体との間から正規の遊技球Ｐ或いは大球Ｑが通過孔７１を経由せずに入賞孔６０から取り込まれる可能性があるからである。よって、入賞検出阻止手段７０の取り付け位置は、上記範囲とするのが望ましい。
【００２１】
図６（ｃ）は、入賞検出阻止手段７０の他の形態を示す平面図である。同図において入賞検出阻止手段７０は、通過孔７１が楕円状に形成された点で上記実施形態と異なる。本実施形態において楕円状に形成された通過孔７１の短径Ｌは、正規の遊技球Ｐの直径Ｎよりも長く、検出センサー４０の検出孔４０Ａの直径Ｍよりも短く設定される。
よって、本実施形態における入賞検出阻止手段７０によれば、正規の遊技球Ｐは通過孔７１を通過可能である一方、不正な大球Ｑの通過は阻止され、通過孔７１内に留置かれる。
【００２２】
図６（ｄ）は、入賞検出阻止手段７０の他の形態を示す平面図である。同図において入賞検出阻止手段７０は、通過孔７１が半割り状の楕円形に形成された点で上記実施形態と異なる。本実施形態において楕円状に形成された通過孔７１の短径Ｌは、正規の遊技球Ｐの直径Ｎよりも長く、検出センサー４０の検出孔４０Ａの直径Ｍよりも短く設定される。よって、本実施形態における入賞検出阻止手段７０によっても、正規の遊技球Ｐは通過孔７１を通過可能である一方、不正な大球Ｑの通過は阻止され、通過孔７１内に留置かれる。
【００２３】
図７（ａ），（ｂ）は、入賞検出阻止手段７０の他の形態を示す平面図である。同図において入賞検出阻止手段７０は、通過孔７１が多角形状に形成された点で上記実施形態と異なる。
図７（ａ）は、通過孔７１が正三角形として形成された形態であって、当該通過孔７１の三辺は、二点差線で示す三辺に接する内接円の直径Ｌが正規の遊技球Ｐの直径Ｎよりも大径、かつ、検出センサー４０の検出孔４０Ａの直径Ｍよりも小径となる長さに設定される。よって、本実施形態における入賞検出阻止手段７０によっても、正規の遊技球Ｐは通過孔７１を通過可能である一方、不正な大球Ｑの通過は阻止され、通過孔７１内に留置かれる。
【００２４】
図７（ｂ）は、通過孔７１が正六角形として形成された形態であって、当該通過孔７１の六辺は、二点差線で示す六辺に接する内接円の直径Ｌが正規の遊技球Ｐの直径Ｎよりも大径、かつ、検出センサー４０の検出孔４０Ａの直径Ｍよりも小径となる長さに設定される。
よって、本実施形態における入賞検出阻止手段７０によっても、正規の遊技球Ｐは通過孔７１を通過可能である一方、不正な大球Ｑの通過は阻止され、通過孔７１内に留置かれる。
以上、図６及び図７に示したとおり、通過孔７１の形状は何ら限定されるものではなく、少なくとも正規の遊技球Ｐの通過が可能であって、大球Ｑの通過が不可能な寸法、形状であればよい。さらに、入賞検出阻止手段７０の取り付け位置は、入賞孔６０と検出センサー４０との間のみならず、入賞孔６０よりも所定の距離だけ直上の位置としてもよい。即ち、入賞検出阻止手段７０の位置が、入賞孔６０から正規の遊技球Ｐの直径分直上に離間した位置よりも下方から検出センサー４０までの範囲であれば検出センサー４０に大球Ｑが引っ掛かることを確実に阻止し、大球Ｑを通過孔７１内で留置くことができる。また、入賞検出阻止手段７０は、一般入賞部品２１乃至２５のみならず、始動入賞部品２０及び大入賞部品２６に対しても適用可能である。
【００２５】
以下、図１，図８を参照してパチンコ機１０の遊技の概略を説明する。
遊技者によってタッチスイッチ１２２がＯＮ、かつ、停止スイッチ１２３がＯＦＦの状態で発射ハンドル１４が操作されると発射制御装置１２０により、発射機構１２１が駆動され、遊技球Ｐが遊技領域１１Ａ内に向けて一定周期で打ち出される。
遊技領域１１Ａ内に打ち出された遊技球が、遊技盤１１の始動入賞部品２０，一般入賞部品２１乃至２５及び大入賞部品２６に取り込まれると、主制御装置１００は各入賞部品に対応する検出センサー４０からの検出信号に基づいて個別に制御処理を実行する。なお、主制御装置１００は、ＣＰＵ，ＲＯＭ，ＲＡＭ等のハードウェアが搭載されたいわゆるコンピュータであって、各検出センサー４０、他の制御装置及び中継基板とは図外のインターフェイス回路を介して接続される。
【００２６】
遊技球Ｐが始動入賞部品２０に取り込まれ、誘導通路３０Ｒ内の検出センサー４０の検出孔４０Ａを通過すると、検出センサー４０は、インピーダンスの変化に基づき主制御装置１００に対して検出信号を出力する。
主制御装置１００は、当該検出センサー４０からの検出信号に基づいて大当り遊技の抽選処理を実行するとともに、当該抽選処理の結果を含む演出コマンドを演出用制御装置１４０に送信し、さらに表示器中継基板１５０を介して特図表示器１５１を駆動する。
また、主制御装置１００は、払出制御装置１１０に対して賞球個数情報を含む払出コマンドを送信し、払出制御装置１１０は当該払出コマンドに基づいて払出中継基板１３０を介して賞球払出装置１３１を駆動する。
例えば、始動入賞部品２０に取り込まれた場合の賞球個数は３個であり、払い出された賞球個数は払出スイッチ１３２によってカウントされ、賞球個数が３個に達した時点で賞球払出装置１３１の払い出し動作が停止する。
【００２７】
演出用制御装置１４０は、主制御装置１００からの演出コマンドに基づいて演出用図柄表示器１４１、表示灯１４２及びスピーカ１４３を駆動させる。演出用図柄表示器１４１は、例えばＣＲＴや液晶の表示器であって、表示画面上に表される数字やキャラクターを一定方向に変動させた後に前述の抽選処理の結果に応じた数字やキャラクターを停止させる。例えば、抽選処理の結果が「当たり」である場合には、同一の数字（７・７・７，３・３・３）を一直線に並んだ状態で停止させる。一方、抽選処理の結果が「外れ」である場合には、異なる数字（７・１・７，１・３・５）を並んだ状態で停止させる。表示灯１４２及びスピーカ１４３は、図柄の変動や停止に合わせて駆動され、遊技の演出効果を高めるために機能する。
また、図示は省略するが特図表示器１５１は、遊技盤１１の前面に配設される７セグメント表示器等のデジタル表示器であって、抽選処理の結果に応じて「当たり」または「外れ」を示す特定の数字や形状を停止させる。
特図保留表示器１５２は、演出用図柄表示器１４１の下方に設けられる複数のランプ群であって、始動入賞部品２０への入賞個数を表示する。始動入賞部品２０への入賞は例えば最大４個まで保留可能であり、保留数に対応した回数だけ主制御装置１００による抽選処理が実行される。
【００２８】
遊技球Ｐが一般入賞部品２１乃至２５に取り込まれ、誘導通路３０Ｌまたは３１Ｌ内の検出センサー４０の検出孔４０Ａを通過すると検出センサー４０は、主制御装置１００に対して検出信号を出力する。主制御装置１００は、払出制御装置１１０に対して賞球個数情報を含む払出コマンドを送信し、払出制御装置１１０は当該払出コマンドに基づいて払出中継基板１３０を介して賞球払出装置１３１を駆動する。
例えば、一般入賞部品２１乃至２５に取り込まれた場合の賞球個数は５個であり、払い出された賞球個数は払出スイッチ１３２によってカウントされ、賞球個数が５個に達した時点で賞球払出装置１３１の払い出し動作が停止する。つまり、主制御装置１００は、始動入賞部品２０に遊技球が取り込まれた場合に大当り遊技の抽選処理を実行し、一般入賞部品２１乃至２５に取り込まれた場合には払出処理のみを実行する。
【００２９】
図示は省略するが、普図表示器１５３は、遊技領域１１Ａ内に設けられたスルーチャッカー２７を遊技球Ｐが通過したことに基づいて実行される抽選処理（普通図柄抽選）の結果を表示するランプやセグメント表示器であって、普通図柄抽選の結果に応じて「当たり」または「外れ」を示す特定の数字や形状を停止させる。
普通図柄抽選の結果が「当たり」である場合、主制御装置１００は、始動入賞部品２０に開閉可能に設けられた開閉体２０Ａを開放する図外のソレノイド等の駆動機構を駆動して開閉体２０Ａを一定時間開放状態とし、遊技球Ｐが始動入賞部品２０に取り込まれ易い遊技状態を生成する。
普図保留表示器１５４は、演出用図柄表示器１４１の上方に配設される複数のランプ群であって、スルーチャッカー２７の通過個数を表示する。スルーチャッカー２７の通過は例えば最大４個まで保留可能であり、保留数に対応した回数だけ主制御装置１００による普通図柄抽選が実行される。
【００３０】
遊技球Ｐが始動入賞部品２０に取り込まれ、検出センサー４０からの検出信号に基づいて実行される大当り遊技の抽選処理の結果が「当たり」であると大当り遊技が開始される。
大当り遊技は、大入賞部品２６の開閉体２６Ａを前方に開放状態とし、遊技球Ｐを内部に開設された入賞孔内に入賞可能とする遊技であって、大入賞部品２６から入賞した遊技球Ｐは、誘導通路３０Ｒ内に配設された検出センサー４０によって検出される。
主制御装置１００は、当該検出センサー４０からの検出信号に基づいて払出制御装置１１０に対して払出コマンドを送信し、払出制御装置１１０が賞球払出装置１３１を駆動することにより賞球の払出が実行される。
大入賞部品２６に取り込まれた場合の賞球個数は、例えば１５個として設定され、検出センサー４０による９回の検出を１ラウンドとして、当該ラウンドが例えば１５回繰り返される（１５×９×１５）ことにより、遊技者は短時間に多くの遊技球の払出を受けることができる。
【００３１】
以上、本発明を実施の形態に基いてを説明したが、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
【符号の説明】
【００３２】
１０  パチンコ機，１１  遊技盤，１１Ａ  遊技領域，２０  始動入賞部品，
２１乃至２５  一般入賞部品，２６  大入賞部品，３０；３１  流路ユニット，
３０Ｌ  誘導通路，３０Ｒ  誘導通路，３１Ｌ  誘導通路，４０  検出センサー，
４０Ａ  検出孔，５０  ベースプレート，５４  樋片，５５  遊技球取り込み部，
６０  入賞孔，７０  入賞検出阻止手段，７１  通過孔，１００  主制御装置，
Ｐ  正規の遊技球，Ｑ  大球，Ｌ  通過孔７１の直径，Ｍ  検出孔４０Ａの直径，
Ｎ  遊技球Ｐの直径，Ｏ  大球Ｑの直径
【図１】
2012045091.tif 000003
【図２】
2012045091.tif 000004
【図３】
2012045091.tif 000005
【図４】
2012045091.tif 000006
【図５】
2012045091.tif 000007
【図６】
2012045091.tif 000008
【図７】
2012045091.tif 000009
【図８】
2012045091.tif 000010